(57)【特許請求の範囲】
【請求項１】
コンクリートの側壁に設けられ、遮水シート及びこれを保護する保護マットを有する遮水層と、
前記遮水層を前記側壁に押圧して固定する複数の遮水層固定手段とを備え、
各遮水層固定手段は、
水平方向に延びて前記遮水層の対応部分を前記側壁に押し付けるフラットバーと、
前記フラットバーに対して、その長さ方向に所定ピッチで配置され、該フラットバーを前記側壁に固定するアンカーとを備え、
各アンカーは、
前記側壁に埋設された埋設部と、
前記埋設部から突出して前記遮水層及び前記フラットバーの対応部分を貫通するボルト部と、
前記ボルト部の先端部に螺合するナット部とを備え、
各アンカーのボルト部の前記遮水層よりも先端側には、該ボルト部が該遮水層を貫通している部分における水分の出入りを遮断する遮水手段が設けられることを特徴とする側壁遮水構造。
【請求項２】
前記遮水手段として、
前記遮水層と前記フラットバーとの間に設けられ、前記ボルト部が貫通した第１ゴムパッキンと、
前記フラットバーと前記ナット部との間に設けられ、前記ボルト部が貫通した第２ゴムパッキンと、
前記第２ゴムパッキンと前記ナット部との間に設けられ、前記ナット部を受ける座金とを備えることを特徴とする請求項１に記載の側壁遮水構造。
【請求項３】
前記遮水手段として、さらに、
前記フラットバーの押圧によって前記遮水層に生じている不陸部分を調整する不陸調整材と、
前記不陸調整材の上面からその周囲の前記遮水層にかけて該不陸調整材を覆う帯状遮水シートとを備えることを特徴とする請求項２に記載の側壁遮水構造。
【請求項４】
前記帯状遮水シート及び前記遮水層を覆う発泡ウレタン層と、該発泡ウレタン層を覆う不燃材層とを備えることを特徴とする請求項３に記載の側壁遮水構造。
【請求項５】
前記アンカーは、金属拡張アンカーであり、
前記埋設部は、前記側壁に設けられたアンカー穴に対し、変成シリコンエポキシ樹脂及びその外側の浸透性撥水剤を介して前記側壁に埋設されていることを特徴とする請求項１〜４のいずれか１項に記載の側壁遮水構造。
【請求項６】
前記複数の遮水層固定手段は、水平方向に直列的に並ぶように配置した該遮水層固定手段の列を前記側壁の高さ方向に所定の間隔を置いて配置することにより設けられることを特徴とする請求項１〜５のいずれか１項に記載の側壁遮水構造。
【請求項７】
コンクリートの側壁に、遮水シート及びこれを保護する保護マットを有する遮水層を配置する遮水層配置工程と、
前記遮水層配置工程の後、前記遮水層の所定の複数位置に貫通孔を開け、各貫通孔が開けられた前記側壁の箇所にアンカーの埋設部を埋め込み、該アンカーのボルト部を該貫通孔内又は該貫通孔の外側に突出させるアンカー埋設工程と、
前記アンカー埋設工程の後、各ボルト部に第１ゴムパッキンを、前記複数位置の前記ボルト部にフラットバーを、そして各ボルト部に第２ゴムパッキンをこの順で貫通させ、各アンカーのナット部を各ボルト部の先端部に螺合させることにより、前記遮水層を該フラットバーで前記側壁に押し付けて支持する遮水層押圧支持工程と、
前記遮水層押圧支持工程により前記遮水層に生じた不陸部分を不陸調整材により調整する不陸調整工程と、
前記不陸調整工程の後、前記不陸調整材の露出面からその周囲の前記遮水層にかけて該不陸調整材を覆う帯状遮水シートを設ける帯状遮水シート設置工程と、
前記帯状遮水シート設置工程の後、前記帯状遮水シート及び前記遮水層を覆う発泡ウレタン層と、該発泡ウレタン層を覆う不燃材層とを形成する仕上げ層形成工程とを備えることを特徴とする側壁遮水構造構築方法。
【請求項８】
遮水シートと保護マットを有する遮水層、及び該遮水層を覆う仕上げ層が設けられたコンクリートの側壁における該仕上げ層を、所定の上下方向の幅及び水平方向の長さで除去する仕上げ層除去工程と、
前記仕上げ層除去工程で前記仕上げ層を除去した部分の前記遮水層において所定の複数位置に貫通孔を設け、各貫通孔が開けられた前記側壁の箇所にアンカーの埋設部を埋め込み、該アンカーのボルト部を該貫通孔内又は該貫通孔の外側に突出させるアンカー埋設工程と、
前記アンカー埋設工程の後、各ボルト部に第１ゴムパッキンを、前記複数位置の前記ボルト部にフラットバーを、そして各ボルト部に第２ゴムパッキンをこの順で貫通させ、各アンカーのナット部を各ボルト部の先端部に螺合させることにより、前記遮水層を該フラットバーで前記側壁に押し付けて支持する遮水層押圧支持工程と、
前記遮水層押圧支持工程により前記遮水層に生じた不陸部分を不陸調整材により調整する不陸調整工程と、
前記不陸調整工程の後、前記不陸調整材の露出面からその周囲の前記遮水層にかけて該不陸調整材を覆う帯状遮水シートを設ける帯状遮水シート設置工程と、
前記帯状遮水シート設置工程の後、前記仕上げ層の前記仕上げ層除去工程で除去した部分を修復する仕上げ層修復工程とを備えることを特徴とする側壁遮水構造構築方法。
【発明の詳細な説明】
【技術分野】
【０００１】
本発明は、廃棄物を埋立処分するための最終処分場の建設に適した側壁遮水構造及び側壁遮水構造構築方法に関する。
【背景技術】
【０００２】
廃棄物を埋立処分するための最終処分場では、埋立処分された廃棄物から生じる浸出水が外部に漏洩するのを防止する措置を講ずる必要がある。かかる措置として、従来、コンクリートで構築した埋立用の区画の側壁に、遮水工やＦＲＰ防水層を含む遮水構造体を設けることが行われている（例えば、特許文献１参照）。
【０００３】
特許文献１に記載された側壁の遮水構造体は、遮水層と、その遮水層の表面を被覆するウレタン層とを有している。遮水層は、保護マット及びその保護により保護された遮水シートを２セット積層して形成される。ウレタン層は、垂直壁防水ユニットの表面に吹き付けられたウレタン及び、そのウレタンの表面に吹き付けられた不燃性の吹付材で形成される。
【先行技術文献】
【特許文献】
【０００４】
【特許文献１】特開２０１５−７７５３９号公報
【発明の概要】
【発明が解決しようとする課題】
【０００５】
しかしながら、上記特許文献１の側壁の遮水構造体によれば、その遮水層が保護マット及び遮水シートを２セット積層して形成されるので、側壁の高さが高い場合には、遮水層がその自重により撓みを生じるおそれがある。
【０００６】
本発明の目的は、かかる従来技術の課題に鑑み、遮水層に撓みが生じない側壁遮水構造及び側壁遮水構造構築方法を提供することにある。
【課題を解決するための手段】
【０００７】
本発明の側壁遮水構造は、
コンクリートの側壁に設けられ、遮水シート及びこれを保護する保護マットを有する遮水層と、
前記遮水層を前記側壁に押圧して固定する複数の遮水層固定手段とを備え、
各遮水層固定手段は、
水平方向に延びて前記遮水層の対応部分を前記側壁に押し付けるフラットバーと、
前記フラットバーに対して、その長さ方向に所定ピッチで配置され、該フラットバーを前記側壁に固定するアンカーとを備え、
各アンカーは、
前記側壁に埋設された埋設部と、
前記埋設部から突出して前記遮水層及び前記フラットバーの対応部分を貫通するボルト部と、
前記ボルト部の先端部に螺合するナット部とを備え、
各アンカーのボルト部の前記遮水層よりも先端側には、該ボルト部が該遮水層を貫通している部分における水分の出入りを遮断する遮水手段が設けられることを特徴とする。
【０００８】
本発明によれば、遮水層固定手段のフラットバーによって遮水層が側壁に効果的に固定されるとともに、遮水手段によって、アンカーのボルト部の周囲を経た水分の出入りが防止される。このため、遮水層固定手段を適宜の位置に配置することにより、側壁が高い場合でも、遮水層がその自重により弛むのを、遮水層の機能を十分担保しつつ、防止することができる。
【０００９】
この場合、前記遮水手段として、前記遮水層と前記フラットバーとの間に設けられ、前記ボルト部が貫通した第１ゴムパッキンと、前記フラットバーと前記ナット部との間に設けられ、前記ボルト部が貫通した第２ゴムパッキンと、前記第２ゴムパッキンと前記ナット部との間に設けられ、前記ナット部を受ける座金とを備えてもよい。これによれば、アンカーのボルト部が遮水層を貫通している部分からの水分の出入りを効果的に防止することができる。
【００１０】
また、遮水手段として、さらに、前記フラットバーの押圧によって前記遮水層に生じている不陸部分を調整する不陸調整材と、前記不陸調整材の上面からその周囲の前記遮水層にかけて該不陸調整材を覆う帯状遮水シートとを備えてもよい。これによれば、アンカーのボルト部の周囲を経た水分の出入りを完全に防止し、遮水層による遮水効果を高度に維持することができる。
【００１１】
本発明において、前記帯状遮水シート及び前記遮水層を覆う発泡ウレタン層と、該発泡ウレタン層を覆う不燃材層とを備えてもよい。これによれば、発泡ウレタン層がバッファとなり、遮水層の損傷を防止することができる。
【００１２】
本発明において、前記アンカーは、金属拡張アンカーであり、前記埋設部は、前記側壁に設けられたアンカー穴に対し、変成シリコンエポキシ樹脂及びその外側の浸透性撥水剤を介して前記側壁に埋設されていてもよい。これによれば、浸透性撥水剤により外部からの吸水を防ぐとともに、変成シリコンエポキシ樹脂により外部からの応力を吸収できるので、アンカー穴に対し、アンカーの埋設部の劣化を防止しつつ、確実に固定することができる。
【００１３】
本発明において、前記複数の遮水層固定手段は、水平方向に直列的に並ぶように配置した該遮水層固定手段の列を前記側壁の高さ方向に所定の間隔を置いて配置することにより設けられる。これによれば、高さ方向における遮水層固定手段の配列数や配列間隔を適切に設定することにより、遮水層の弛みを適切に防止することができる。
【００１４】
本発明の側壁遮水構造構築方法は、
コンクリートの側壁に、遮水シート及びこれを保護する保護マットを有する遮水層を配置する遮水層配置工程と、
前記遮水層配置工程の後、前記遮水層の所定の複数位置に貫通孔を開け、各貫通孔が開けられた前記側壁の箇所にアンカーの埋設部を埋め込み、該アンカーのボルト部を該貫通孔内又は該貫通孔の外側に突出させるアンカー埋設工程と、
前記アンカー埋設工程の後、各ボルト部に第１ゴムパッキンを、前記複数位置の前記ボルト部にフラットバーを、そして各ボルト部に第２ゴムパッキンをこの順で貫通させ、各アンカーのナット部を各ボルト部の先端部に螺合させることにより、前記遮水層を該フラットバーで前記側壁に押し付けて支持する遮水層押圧支持工程と、
前記遮水層押圧支持工程により前記遮水層に生じた不陸部分を不陸調整材により調整する不陸調整工程と、
前記不陸調整工程の後、前記不陸調整材の露出面からその周囲の前記遮水層にかけて該不陸調整材を覆う帯状遮水シートを設ける帯状遮水シート設置工程と、
前記帯状遮水シート設置工程の後、前記帯状遮水シート及び前記遮水層を覆う発泡ウレタン層と、該発泡ウレタン層を覆う不燃材層とを形成する仕上げ層形成工程とを備えることを特徴とする。
【００１５】
これによれば、上述の本発明の側壁遮水構造を、簡便な工程で、かつ効率よく構築することができる。
【００１６】
本発明の別の側壁遮水構造構築方法は、
遮水シートと保護マットを有する遮水層、及び該遮水層を覆う仕上げ層が設けられたコンクリートの側壁における該仕上げ層を、所定の上下方向の幅及び水平方向の長さで除去する仕上げ層除去工程と、
前記仕上げ層除去工程で前記仕上げ層を除去した部分の前記遮水層において所定の複数位置に貫通孔を設け、各貫通孔が開けられた前記側壁の箇所に前記アンカーの埋設部を埋め込み、該アンカーのボルト部を該貫通孔内又は該貫通孔の外側に突出させるアンカー埋設工程と、
前記アンカー埋設工程の後、各ボルト部に第１ゴムパッキンを、前記複数位置の前記ボルト部にフラットバーを、そして各ボルト部に第２ゴムパッキンをこの順で貫通させ、各アンカーのナット部を各ボルト部の先端部に螺合させることにより、前記遮水層を該フラットバーで前記側壁に押し付けて支持する遮水層押圧支持工程と、
前記遮水層押圧支持工程により前記遮水層に生じた不陸部分を不陸調整材により調整する不陸調整工程と、
前記不陸調整工程の後、前記不陸調整材の露出面からその周囲の前記遮水層にかけて該不陸調整材を覆う帯状遮水シートを設ける帯状遮水シート設置工程と、
前記帯状遮水シート設置工程の後、前記仕上げ層の前記仕上げ層除去工程で除去した部分を修復する仕上げ層修復工程とを備えることを特徴とする。
【００１７】
これによれば、遮水層及び仕上げ層が設けられたコンクリートの側壁に、該遮水層及び該仕上げ層を、簡便な工程で、確実に固定し、上記本発明の側壁遮水構造を構築することができる。
【図面の簡単な説明】
【００１８】
【図１】本発明の一実施形態に係る側壁遮水構造を示す断面図である。
【図２】図１の側壁遮水構造のフラットバーに沿った層構造を示す図である。
【図３】図１の遮水構造の遮水層固定手段を水平方向に直列的に並べた配列を側壁の高さ方向に所定の間隔を置いて配置する様子を示す図である。
【図４】図１の側壁遮水構造を構築する方法を示すフローチャートである。
【図５】図１の側壁遮水構造を構築する別の方法を示すフローチャートである。
【発明を実施するための形態】
【００１９】
以下、図面を用いて本発明の実施形態を説明する。図１に示すように、本発明の一実施形態に係る側壁遮水構造１は、最終処分場等におけるコンクリートの側壁２に設けられる。側壁遮水構造１は、遮水シート３及びこれを保護する保護マット４を有する遮水層５と、遮水層５を側壁２に押圧して固定する複数の遮水層固定手段６とを備える。
遮水層５は、具体的には、２０ｍｍ程度の厚さの保護マット４及びその上の１．５ｍｍ程度の厚さの遮水シート３を２セット積層して形成される。
【００２０】
各遮水層固定手段６は、水平方向に延びて遮水層５の対応部分を側壁２に押し付けるフラットバー７と、フラットバー７に対して、その長さ方向に所定ピッチで配置され、フラットバー７を側壁２に固定するアンカー８とを備える。フラットバー７としては、例えば、ステンレス鋼製で、厚さが６ｍｍ、幅が１００ｍｍ程度のものを用いることができる。
【００２１】
各アンカー８は、側壁２に埋設された埋設部９と、埋設部９から突出して遮水層５及びフラットバー７の対応部分を貫通するボルト部１０と、ボルト部１０の先端部に螺合するナット部１１とを備える。アンカー８としては、金属拡張アンカーが用いられる。
【００２２】
具体的には、アンカー８として、コンクリート打設後にステンレス鋼製の本体をコンクリートに打ち込んで固定できるグリップアンカーを用いることができる。この場合、アンカー８の埋設部９は、側壁２に設けられたアンカー穴１２に対し、変成シリコンエポキシ樹脂１３及びその外側の浸透性撥水剤１４を介して側壁２に埋設されるのが好ましい。
【００２３】
このグリップアンカーは、先端側からボルト部１０をねじ込むことができるようになっている。グリップアンカーとしては、本体の全長（打込長さ）が６０ｍｍ、外径が２１．５ｍｍ程度のものを用いることができる。ナット部１１としては、ステンレス鋼製のナットが用いられる。
【００２４】
各アンカー８のボルト部１０の遮水層５よりも先端側には、ボルト部１０が遮水層５を貫通している部分における水分の出入りを遮断する遮水手段１５が設けられる。
【００２５】
遮水手段１５は、遮水層５とフラットバー７との間に設けられ、ボルト部１０が貫通した第１ゴムパッキン１６と、フラットバー７とナット部１１との間に設けられ、ボルト部１０が貫通した第２ゴムパッキン１７と、第２ゴムパッキン１７とナット部１１との間に設けられ、ナット部１１を受ける座金１８とを備える。
【００２６】
遮水手段１５は、さらに、フラットバー７の押圧によって遮水層５に生じている不陸部分を調整する不陸調整材１９と、不陸調整材１９の上面からその周囲の遮水層５にかけて不陸調整材１９を覆う帯状遮水シート２０とを備える。不陸調整材１９としては、発砲ウレタンを用いることができる。帯状遮水シート２０としては、例えば、厚さが１．５ｍｍの遮水シートを２枚接着したものを使用することができる。
【００２７】
図２は、この遮水手段１５の部分における各層の構成を示す。不陸部分においては、図２に示すように、フラットバー７が固定されている。これにより、不陸部分がフラットバー７に沿って帯状に生じている。
【００２８】
不陸調整材１９は、不陸部分以外の遮水層５の表面と同一レベルに至るまで、この不陸部分を埋めている（図１参照）。帯状遮水シート２０は、この不陸調整材１９の表面を含む部分を覆っている。また、この帯状遮水シート２０が覆っている部分を含む遮水層５の全体を、厚さ３０ｍｍ程度の発泡ウレタン層２１及びその上の不燃材層２２からなる仕上げ層２３が覆っている。
【００２９】
ただし、後述する図５の方法により側壁遮水構造１を構築する場合には、不陸部分に沿った仕上げ層２３の部分は、仕上げ層２３の補修された部分である仕上げ層補修部２４（図１参照）となる。
【００３０】
図３は、遮水層５に対する遮水層固定手段６の配置を示す。図３に示すように、複数の遮水層固定手段６は、水平方向に直列的に並ぶように配置した遮水層固定手段６の配列を側壁２の高さ方向に所定の配置間隔Ｄ１を置いて複数列配置することにより設けられる。配置間隔Ｄ１は、例えば、３０００ｍｍ程度に設定される。なお、各遮水層固定手段６におけるアンカー８の配置間隔Ｄ２は、例えば、１０００ｍｍ程度に設定することができる。
【００３１】
図４は、側壁遮水構造１の構築方法を示す。図４に示すように、側壁遮水構造１の構築にあたっては、まず、コンクリートの側壁２に、遮水シート３及びこれを保護する保護マット４を有する遮水層５を配置する（遮水層配置工程；Ｓ１）。
【００３２】
この、遮水層配置工程（Ｓ１）の後、遮水層５の所定の複数位置に貫通孔２５を開けて、各貫通孔２５が開けられた側壁２の箇所にアンカー穴１２を設けて、アンカー穴１２にアンカー８の埋設部９を埋め込み、アンカー８のボルト部１０を貫通孔２５内又は貫通孔２５の外側に突出させる（アンカー埋設工程；Ｓ２）。
【００３３】
このアンカー埋設工程（Ｓ２）の後、各ボルト部１０に、貫通孔を有する第１ゴムパッキン１６を、前記複数位置のボルト部１０に、対応する貫通孔を有するフラットバー７を、そして各ボルト部１０に、貫通孔を有する第２ゴムパッキン１７を、この順で貫通させ、ナット部１１を各ボルト部１０の先端部に螺合させる（遮水層押圧支持工程；Ｓ３）。これにより、遮水層５がフラットバー７により側壁２に押し付けされて支持され、遮水層固定手段６が形成される。
【００３４】
なお、上記のアンカー埋設工程（Ｓ２）及び遮水層押圧支持工程（Ｓ３）は、複数の遮水層固定手段６について、アンカー埋設工程（Ｓ２）を行ってから、遮水層押圧支持工程（Ｓ３）を行ってもよいし、両工程を、遮水層固定手段６毎に繰り返して行ってもよい。
【００３５】
この遮水層押圧支持工程（Ｓ３）の後、遮水層押圧支持工程（Ｓ３）により遮水層５に生じた不陸部分を不陸調整材１９により調整する（不陸調整工程；Ｓ４）。
【００３６】
この不陸調整工程（Ｓ４）の後、不陸調整材１９の露出面からその周囲の遮水層５にかけて不陸調整材１９を覆う帯状遮水シート２０を設ける（帯状遮水シート設置工程；Ｓ５）。
【００３７】
帯状遮水シート設置工程（Ｓ５）の後、帯状遮水シート２０及び遮水層５を覆う発泡ウレタン層２１と、発泡ウレタン層２１を覆う不燃材層２２とを形成する（仕上げ層形成工程；Ｓ６）。これにより、側壁遮水構造１の構築が完了する。
【００３８】
図５は、側壁遮水構造１の別の構築方法を示す。この方法では、予め遮水シート３及び遮水層５を覆う仕上げ層２３が設けられたコンクリートの側壁２に、該遮水シート３及び仕上げ層２３を固定することにより、側壁遮水構造１が構築される。
すなわち、先ず、コンクリートの側壁２に設けられた仕上げ層２３を、所定の上下方向の幅及び水平方向の長さで除去する（仕上げ層除去工程；Ｓ１１）。
【００３９】
次に、仕上げ層除去工程（Ｓ１１）で仕上げ層２３を除去した部分の遮水層５において所定の複数位置に貫通孔２５を設け、各貫通孔２５を介して側壁２の該貫通孔２５に対応する位置にアンカー８の埋設部９を埋め込み、該アンカー８のボルト部１０を該貫通孔２５内又は該貫通孔２５の外側に突出させる（アンカー埋設工程；Ｓ１２）。
【００４０】
アンカー埋設工程（Ｓ１２）の後、各ボルト部１０に、貫通孔を有する第１ゴムパッキン１６を、前記複数位置のボルト部１０に、対応する複数の貫通孔を有するフラットバー７を、そして各ボルト部１０に、貫通孔を有する第２ゴムパッキン１７を、この順で貫通させ、ナット部１１を各ボルト部１０の先端部に螺合させる（遮水層押圧支持工程；Ｓ１３）。これにより、遮水層５がフラットバー７により側壁２に押し付けされて支持され、遮水層固定手段６が形成される。
【００４１】
なお、上記のアンカー埋設工程（Ｓ１２）及び遮水層押圧支持工程（Ｓ１３）は、複数の遮水層固定手段６について、アンカー埋設工程（Ｓ１２）を行ってから、遮水層押圧支持工程（Ｓ１３）を行ってもよいし、両工程を、遮水層固定手段６毎に繰り返して行ってもよい。
【００４２】
この遮水層押圧支持工程（Ｓ１３）の後、遮水層押圧支持工程（Ｓ１３）により遮水層５に生じた不陸部分を不陸調整材１９により調整する（不陸調整工程；Ｓ１４）。
【００４３】
不陸調整工程（Ｓ１４）の後、不陸調整材１９の露出面からその周囲の遮水層５にかけて不陸調整材１９を覆う帯状遮水シート２０を設ける（帯状遮水シート設置工程；Ｓ１５）。このとき、帯状遮水シート２０は、仕上げ層除去工程（Ｓ１１）で仕上げ層２３を除去した部分の遮水層５の範囲内において設けられる。
【００４４】
帯状遮水シート設置工程（Ｓ１５）の後、仕上げ層２３の仕上げ層除去工程（Ｓ１１）で除去した部分を修復する（仕上げ層修復工程；Ｓ１６）。これにより、図４の方法による場合と同様の側壁遮水構造１が構築される。
【００４５】
以上のように本発明の実施形態によれば、遮水層固定手段６のフラットバー７によって遮水層５が側壁２に効果的に固定できる。また、遮水手段１５によって、アンカー８のボルト部１０の周囲を経た水分の出入りを防止することができる。したがって、遮水層固定手段６を適宜の位置に配置することにより、側壁２が高い場合でも、遮水層５がその自重により弛むのを、遮水層５の機能を十分担保しつつ、防止することができる。
【００４６】
また、遮水手段１５として、第１ゴムパッキン１６、第２ゴムパッキン１７、座金１８、不陸調整材１９、帯状遮水シート２０を備えるので、アンカー８のボルト部１０の周囲を経た水分の出入りを完全に防止し、遮水層５による遮水効果を高度に維持することができる。
【００４７】
また、帯状遮水シート２０及び遮水層５を覆う発泡ウレタン層２１と、該発泡ウレタン層を覆う不燃材層２２とを備えるので、発泡ウレタン層２１がバッファとなり、遮水層５の損傷を防止することができる。
【００４８】
また、図４の側壁遮水構造１の構築方法によれば、側壁遮水構造１を、簡便な工程で、かつ効率よく構築することができる。また、図５の側壁遮水構造１の構築方法によれば、遮水層５及び仕上げ層２３が設けられたコンクリートの側壁２に、該遮水層５及び該仕上げ層２３を、簡便な工程で、確実に固定し、側壁遮水構造１を構築することができる。
【００４９】
以上、本発明の実施形態を説明したが、本発明はこれに限定されない。例えば、遮水手段１５を構成する第１、第２ゴムパッキン１６、１７に代えて、他の遮水シートを用いてもよい。
【符号の説明】
【００５０】
１…側壁遮水構造、２…側壁、３…遮水シート、４…保護マット、５…遮水層、６…遮水層固定手段、７…フラットバー、８…アンカー、９…埋設部、１０…ボルト部、１１…ナット部、１２…アンカー穴、１３…変成シリコンエポキシ樹脂、１４…浸透性撥水剤、１５…遮水手段、１６…第１ゴムパッキン、１７…第２ゴムパッキン、１８…座金、１９…不陸調整材、２０…帯状遮水シート、２１…発泡ウレタン層、２２…不燃材層、２３…仕上げ層、２４…仕上げ層補修部、２５…貫通孔。
【要約】
【課題】遮水層に撓みが生じない側壁遮水構造及び側壁遮水構造構築方法を提供する。
【解決手段】側壁遮水構造１は、コンクリートの側壁２に設けられた遮水層５と、遮水層５を側壁２に固定する遮水層固定手段６とを備える。遮水層固定手段６は、遮水層５を側壁２に押し付けるフラットバー７と、フラットバー７を側壁２に固定するアンカー８とを備える。各アンカー８は、側壁２に埋設された埋設部９から突出して遮水層５及びフラットバー７の対応部分を貫通するボルト部１０と、ボルト部１０に螺合するナット部１１とを備える。ボルト部１０の遮水層５よりも先端側には、ボルト部１０が遮水層５を貫通している部分での水分の出入りを遮断する遮水手段１５が設けられる。
【選択図】図１【図１】
0006697191.tif 000002
【図２】
0006697191.tif 000003
【図３】
0006697191.tif 000004
【図４】
0006697191.tif 000005
【図５】
0006697191.tif 000006